(57)【特許請求の範囲】
【請求項１】
１枚以上のフォースプレートと、
前記フォースプレートに設けられ、カメラ画像を用いた画像処理により位置情報が検出できる認識手段であって、認識手段位置情報から当該フォースプレートの位置を特定可能な認識手段と、
前記フォースプレートを撮影して当該フォースプレートのカメラ画像を取得する複数のカメラと、
前記フォースプレートが第１の空間の第１の位置に置かれた時のフォースプレート座標系（前記第１の空間では、３次元動作分析の座標系とフォースプレートの座標系が一致している）における当該フォースプレートの第１の位置情報を設定する手段と、
前記フォースプレートが第１の空間の第１の位置に置かれた時の当該フォースプレートの認識手段位置情報を第１の認識手段位置情報として記憶する手段と、
前記フォースプレートが第２の空間の第２の位置に置かれた時のフォースプレートのカメラ画像から３次元動作分析の座標系における当該フォースプレートの認識手段位置情報を第２の認識手段位置情報として取得する手段と、
前記第１の認識手段位置情報と第２の認識手段位置情報の差異から、前記第１の認識手段位置情報に対する前記第２の認識手段位置情報の変位情報を取得する手段と、
を備えた、フォースプレートを備えた３次元動作分析システムのセッティングに用いる装置。
【請求項２】
前記第２の空間では、３次元動作分析の座標系とフォースプレートの座標系が不一致であり、
前記変位情報は、第２の空間における３次元動作分析の座標系をフォースプレートの座標系に一致させることに用いられる、
請求項１に記載の装置。
【請求項３】
前記第２の空間において、３次元動作分析の座標系とフォースプレートの座標系が一致しており、
前記変位情報は、フォースプレートの前記第１の位置情報と共に、第２の空間の第２の位置に置かれたフォースプレートの第２の位置情報の取得に用いられる、
請求項１に記載の装置。
【請求項４】
カメラ間距離及び各カメラの方向が決定された複数のカメラと、
フォースプレートに設けられ、カメラ画像を用いた画像処理により位置情報が検出できる認識手段であって、認識手段位置情報から当該フォースプレートの位置を特定可能な認識手段と、
３次元動作分析の座標系が第１の空間に設置したフォースプレートの座標系に一致するように校正を行うことで取得した第１のカメラパラメーターを記憶する手段と、
３次元動作分析の座標系とフォースプレートの座標系が一致している校正後の第１の空間において、前記第１の空間に設置したフォースプレートの第１の複数のカメラ画像と前記第１のカメラパラメーターを用いて取得された当該フォースプレートの認識手段の座標を第１座標値として記憶する手段と、
３次元動作分析の座標系とフォースプレートの座標系が不一致である第２の空間に設置したフォースプレートの第２の複数のカメラ画像と前記第１のカメラパラメーターを用いて、第２の空間における当該フォースプレートの認識手段の座標を第２座標値として取得する手段と、
前記第１座標値と前記第２座標値の差異から取得した前記第１座標値に対する前記第２座標値の変位情報を用いて、第２の空間において、３次元動作分析の座標系をフォースプレートの座標系に一致させる手段と、
からなるフォースプレートを備えた３次元動作分析システムのセッティング装置。
【請求項５】
前記３次元動作分析の座標系をフォースプレートの座標系に一致させる手段は、
前記第２の複数のカメラ画像と第２のカメラパラメーターを用いて計算したフォースプレートの認識手段の座標値が、前記第１座標値と一致するように、前記第１のカメラパラメーターを第２のカメラパラメーターに変換するものである、請求項４に記載の装置。
【請求項６】
複数枚のフォースプレートを備えており、
１枚目のフォースプレートに基づいて前記第２のカメラパラメーターが取得され、
２枚目以降の各フォースプレートがフォースプレート座標系の第１の位置にある時に、当該２枚目以降の各フォースプレートの位置情報を第１の位置情報として、当該２枚目以降の各フォースプレートの認識手段の座標を第１座標値として記憶する手段と、
第２空間に置かれた２枚目以降の各フォースプレートの認識手段の座標を前記第２のカメラパラメーターを用いて第２座標値として取得する手段と、
２枚目以降の各フォースプレートの前記第１座標値から前記第２座標値への変位情報と前記第１の位置情報に基づいて、第２空間における２枚目以降の各フォースプレートの位置情報を取得する手段と、
を備えた、請求項５に記載の装置。
【請求項７】
前記複数のカメラは、個別に方向調整可能に装着された複数のカメラと、方向調整可能に装着された一つ又は複数の可視光線出射部と、からなるカメラユニットから構成されており、
前記フォースプレートには、前記可視光線出射部から出射された可視光線のターゲットが設けてあり、
前記第１の空間での校正に先立って、フォースプレートを含む空間を撮影するように各カメラの方向を調整して決定した状態で、一つ又は複数の可視光線出射部から出射された可視光線が前記フォースプレートのターゲットに当たるように、当該可視光線出射部の方向を決定し、前記第２の空間でのフォースプレートの撮影に先立って、フォースプレートのターゲットに一つ又は複数の可視光線出射部から出射された可視光線が当たるように、前記カメラユニットを位置決めするようになっている、
請求項４〜６いずれか１項に記載の装置。
【請求項８】
前記ターゲットは、フォースプレートに着脱可能に被着されるプレートカバーに設けてある、請求項７に記載の装置。
【請求項９】
前記認識手段は、フォースプレートに着脱可能に被着されるプレートカバーに設けてある、請求項４〜８いずれか１項に記載の装置。
【請求項１０】
カメラ間距離及び各カメラの方向が決定された複数のカメラと、
フォースプレートに設けられ、カメラ画像を用いた画像処理により位置情報が検出できる認識手段であって、認識手段位置情報から当該フォースプレートの位置を特定可能な認識手段と、
３次元動作分析の座標系とフォースプレートの座標系が一致している第１の空間において、前記フォースプレートがフォースプレート座標系の第１の位置にある時に、当該フォースプレートの位置情報を第１の位置情報として、当該フォースプレートの認識手段の座標を第１座標値として記憶する手段と、
３次元動作分析の座標系とフォースプレートの座標系が一致している第２の空間において、前記フォースプレートの認識手段の座標を第２座標値として取得する手段と、
前記第１座標値と前記第２座標値の差異から取得した前記第１座標値から前記第２座標値への変位情報と前記第１の位置情報に基づいて、前記第２の空間における前記フォースプレートの第２の位置情報を取得する手段と、
からなるフォースプレートを備えた３次元動作分析システムのセッティング装置。
【請求項１１】
前記認識手段は、フォースプレートに着脱可能に被着されるプレートカバーに設けてある、請求項１０に記載の装置。
【請求項１２】
フォースプレートを備えた３次元動作分析システムのセッティングにおいて、３次元動作分析の座標系をフォースプレートの座標系に一致させる方法であって、
前記３次元動作分析システムは、カメラ間距離及び各カメラの方向が決定された複数のカメラを備えており、
前記フォースプレートには、カメラ画像を用いた画像処理により位置情報が検出できる認識手段であって、認識手段位置情報から当該フォースプレートの位置を特定可能な認識手段が設けてあり、
３次元動作分析の座標系が第１の空間に設置したフォースプレートの座標系に一致するように校正を行うことで第１のカメラパラメーターを取得して記憶し、
３次元動作分析の座標系とフォースプレートの座標系が一致している校正後の第１の空間において、前記第１の空間に設置したフォースプレートの第１の複数のカメラ画像と前記第１のカメラパラメーターを用いて当該フォースプレートの認識手段の座標を第１座標値として取得して記憶し、
３次元動作分析の座標系とフォースプレートの座標系が不一致である第２の空間に設置したフォースプレートの第２の複数のカメラ画像と前記第１のカメラパラメーターを用いて、第２の空間における当該フォースプレートの認識手段の座標を第２座標値として取得し、
前記第１座標値と前記第２座標値の差異から取得した前記第１座標値と前記第２座標値との変位情報を用いて、第２の空間において、３次元動作分析の座標系をフォースプレートの座標系に一致させる、
フォースプレートを備えた３次元動作分析システムのセッティング方法。
【請求項１３】
前記３次元動作分析の座標系をフォースプレートの座標系に一致させるステップは、
前記第２の複数のカメラ画像と第２のカメラパラメーターを用いて計算したフォースプレートの認識手段の座標値が、前記第１座標値と一致するように、前記第１のカメラパラメーターを第２のカメラパラメーターに変換するものである、請求項１２に記載の方法。
【請求項１４】
前記第２空間において、複数枚のフォースプレートが設置され、
１枚目のフォースプレートに基づいて前記第２のカメラパラメーターが取得され、
２枚目以降の各フォースプレートがフォースプレート座標系の第１の位置にある時に、当該２枚目以降の各フォースプレートの位置情報が第１の位置情報として、当該２枚目以降の各フォースプレートの認識手段の座標が第１座標値として記憶されており、
２枚目以降の各フォースプレートの認識手段の座標を前記第２のカメラパラメーターを用いて第２座標値として取得し、
２枚目以降の各フォースプレートの認識手段の前記第１座標値から前記第２座標値への変位情報と前記第１の位置情報に基づいて、第２座標系における２枚目以降の各フォースプレートの位置情報を取得する、請求項１３に記載の方法。
【請求項１５】
前記複数のカメラは、個別に方向調整可能に装着された複数のカメラと、方向調整可能に装着された一つ又は複数の可視光線出射部と、からなるカメラユニットから構成されており、
前記フォースプレートには、前記一つ又は複数の可視光線出射部から出射された可視光線のターゲットが設けてあり、
前記第１の空間での校正に先立って、フォースプレートを含む空間を撮影するように各カメラの方向を調整して決定した状態で、一つ又は複数の可視光線出射部から出射された可視光線が前記フォースプレートのターゲットに当たるように、当該可視光線出射部の方向を決定し、
前記第２の空間でのフォースプレートの撮影に先立って、フォースプレートのターゲットに一つ又は複数の可視光線出射部から出射された可視光線が当たるように、前記カメラユニットを位置決めする、請求項１２〜１４いずれか１項に記載の方法。
【請求項１６】
フォースプレートを備えた３次元動作分析システムのセッティングにおいて、フォースプレートの位置情報を自動設定する方法であって、
前記３次元動作分析システムは、カメラ間距離及び各カメラの方向が決定された複数のカメラを備えており、
前記フォースプレートには、カメラ画像を用いた画像処理により位置情報が検出できる認識手段であって、認識手段位置情報から当該フォースプレートの位置を特定可能な認識手段が設けてあり、
３次元動作分析の座標系とフォースプレートの座標系が一致している第１の空間において、前記フォースプレートがフォースプレート座標系の第１の位置にある時に、当該フォースプレートの位置情報が第１の位置情報として、当該フォースプレートの認識手段の座標が第１座標値として記憶されており、
３次元動作分析の座標系とフォースプレートの座標系が一致している第２の空間において、前記フォースプレートの認識手段の座標を第２座標値として取得し、
前記第１座標値と前記第２座標値の差異から取得した前記第１座標値から前記第２座標値への変位情報と前記第１の位置情報に基づいて、第２の空間におけるフォースプレートの第２の位置情報を取得することで、第２の空間におけるフォースプレートの位置情報を自動設定する、
フォースプレートを備えた３次元動作分析システムのセッティング方法。
【請求項１７】
前記第２の空間において、前記フォースプレートの認識手段の第２座標値を取得する前に、３次元動作分析の座標系をフォースプレートの座標系に一致させるステップが実行される、請求項１６に記載の方法。
【発明の詳細な説明】
【技術分野】
【０００１】
本発明は、フォースプレートを備えた３次元動作分析システムのセッティング装置及び方法、並びに、当該セッティングに用いられるフォースプレートの変位情報取得装置に関するものである。
【背景技術】
【０００２】
人の３次元動作を解析することは、医療分野、介護福祉分野、スポーツ分野、ロボティックス、コンピュータグラフィックス等において有用である。人や物体等の３次元動作を計測する手段としては、モーションキャプチャシステムが知られている。光学式のモーションキャプチャシステムでは、所定の複数のポイントにマーカーが取り付けられた被験者を複数のカメラで撮影し、カメラ画像において各マーカーを同定して各マーカーの３次元座標の時系列データを取得することにより行われる。光学式モーションキャプチャを用いた３次元動作解析装置は、例えば、特許文献１に記載されている。
【０００３】
光学式モーションキャプチャを用いた３次元動作解析装置においては、実際の動作計測に先だって、２次元データから３次元データを再構成するためのカメラパラメーター（ＤＬＴ法においてはＤＬＴ係数）が取得される。例えば、ＤＬＴ係数の取得は、実際に空間にキャリブレーションツール（相対的位置関係が既知の６点以上の基準点を備えている）を設置し、このキャリブレーションツールを複数のカメラで撮影することで行われる。ＤＬＴ法におけるキャリブレーションでは、キャリブレーションツールの既知の基準点の実空間座標とカメラにより取得された画像中の基準点との対応から、カメラパラメーター（ＤＬＴ係数）を推定する。カメラパラメーター（ＤＬＴ係数）は、各カメラによって取得された２次元画像中の基準点の座標値と、３次元空間における基準点の座標値と、の間の対応関係を規定する係数であり、カメラパラメーター（ＤＬＴ係数）を利用して、複数台のカメラのカメラ座標（ｕ，ｖ）から計測点の実空間座標（ｘ，ｙ，ｚ）を復元する。ＤＬＴ係数については、例えば、特許文献２、３に記載されている。
【０００４】
３次元動作分析システムにおいて、モーションキャプチャを用いて得られたデータに加えて、動作時の床反力データを取得することは有用である。フォースプレート（床反力計）から得られた床反力データと３次元動作計測装置により取得された被験者の姿勢・位置データを同時に使用することで、関節に加わる力やモーメントを計算できることが当業者に知られている。
【０００５】
床反力を取得できる３次元動作分析システムとしては、複数台のカメラや床面に埋設された床反力センサを備えたスタジオもあるが、医療現場等では、スタジオのような大掛かりなシステムではなく、可搬式のフォースプレートを用いて、必要に応じてその場でセッティングできる比較簡易なシステムのニーズがある。
【０００６】
従来、３次元動作計測装置とフォースプレートを使用したシステムを校正するためには、カメラの方向調整を行なったのちに校正を行い、新規にカメラパラメーターを作成し直すことにより、３次元動作分析とフォースプレートの座標系を合わせていた。さらに複数枚のフォースプレートを設置する場合には、フォースプレートの置き方に応じて設定ファイルを変更する必要があった。以下に具体的に述べるように、これらの作業を一人で行うことは現実的に難しく、時間と手間がかかる作業である。
【０００７】
カメラの方向調整は、動作分析に必要な空間のデータが取得できるように、カメラの方向とプレートの位置とを調整させることである。従来、カメラの方向の調整は、操作者がカメラにより取得された画像が実際に表示されたモニターを見ながらカメラやプレートを移動させることで行っていた。しかしながら、３次元動作分析装置の設置場所によっては、必ずしも操作者からモニターを見ることができるとは限らず、このような場合は、装置の位置を調整する操作者とモニターを見ながら指示を出す操作者が必要となる。したがって、モニターを見ないでカメラの方向調整を行いたいという要望がある。
【０００８】
３次元動作計測システムとフォースプレートからのデータを用いて関節モーメントを計算するためには、床反力が作用した座標と床反力の値が必要である。床反力の作用中心であるCOP（Center of Pressure）が動作分析の座標系のどの位置にあるかという情報が必要であるため、３次元動作分析の座標系とフォースプレートの座標系とを合わせる必要がある。従来は、カメラの方向調整を行なってフォースプレートの位置が決定された段階で、そのフォースプレートを基準とする座標の原点およびＸＹ軸に、キャリブレーションツール（校正器）の座標の原点及びＸＹ軸を一致させるようにキャリブレーションツールを設置し（図４参照）、そのキャリブレーションツールを用いてカメラパラメーター（ＤＬＴ法においてはＤＬＴ係数）を取得していた。しかしながら、フォースプレートの位置が変わる毎に、都度キャリブレーションツールを位置合わせして設置してカメラパラメーターを取得することは煩雑である。
【０００９】
３次元動作計測装置とフォースプレートを使用したシステムにおいては、複数枚のフォースプレートを同じ空間に設置する場合がある。例えば、被験者の左右の足が載るように左右２枚のフォースプレートを設置する場合、あるいは、被験者の歩行動作を取得するように、複数枚のフォースプレートを敷設する場合等がある。従来、例えば、２つのフォースプレートを設置する場合、以下のような手順でフォースプレートの位置の設定を行っていた。先ず、フォースプレートの設置方法を決め、フォースプレートの位置を特定する設定ファイルを各々のフォースプレートについて作成する。設定ファイルには、フォースプレートの基準位置に対する平行移動情報及び回転情報が設定され、フォースプレートの基準位置に対する平行移動情報及び回転情報によってフォースプレート座標系におけるフォースプレートの位置が特定される。そして、設定ファイルと同じ位置関係になるように２枚のフォースプレートを設置し、フォースプレート座標系と動作分析座標系が一致するようにキャリブレーションツール（校正器）を置いて校正を行う。この作業過程において、設定ファイルの作成とそれに合わせてプレート位置を調整する作業（フォースプレートの位置の実測や設定ファイルの手入力作業を伴う）に手間がかかっていた。
【先行技術文献】
【特許文献】
【００１０】
【特許文献１】特開２００４−３４４４１８
【特許文献２】特開平１０−１４９４４５
【特許文献３】特開２００９−２６８５８４
【発明の開示】
【発明が解決しようとする課題】
【００１１】
フォースプレートを用いた３次元動作分析が有用であることは理解されているものの、測定前のセッティング作業の煩雑さがこのような３次元動作分析システムの普及のネックとなっている。
本発明は、フォースプレートを備えた３次元動作分析システムのセッティングをより簡単に行うことで、これを解決しようとするものである。
本発明は、フォースプレートの変位情報を用いることで、フォースプレートを備えた３次元動作分析システムのセッティングをより簡単に行うものである。
【課題を解決するための手段】
【００１２】
本発明が採用した第１の技術手段は、
１枚以上のフォースプレートと、
前記フォースプレートに設けられ、当該フォースプレートの位置を特定可能な認識手段と、
前記フォースプレートを撮影して当該フォースプレートのカメラ画像を取得する複数のカメラと、
前記フォースプレートが第１の空間の第１の位置に置かれた時のフォースプレート座標系における当該フォースプレートの第１の位置情報を設定する手段と、
前記フォースプレートが第１の空間の第１の位置に置かれた時の当該フォースプレートの認識手段の第１の位置情報を記憶する手段と、
前記フォースプレートが第２の空間の第２の位置に置かれた時のフォースプレートのカメラ画像から当該フォースプレートの認識手段の第２の位置情報を取得する手段と、
前記認識手段の第１の位置情報と第２の位置情報との変位情報を取得する手段と、
を備えた、フォースプレートを備えた３次元動作分析システムのセッティングに用いる装置、である。
【００１３】
本発明において用いられる認識手段は、カメラ画像を用いた画像処理により当該認識手段の位置情報が検出でき、検出された認識手段によりフォースプレートの位置を特定することができるものである。また、複数枚のフォースプレートが一つのカメラ画像に含まれる場合には、複数の認識手段は、互いに識別可能である必要がある。
【００１４】
本明細書において、第１の空間、第２の空間とは、時を異にしてフォースプレートが置かれた空間を区別するものとして用いられるものであり、第１の位置は第１の空間でフォースプレートが置かれた位置、第２の位置は第２の空間でフォースプレートが置かれた位置を指す。例えば、校正時にフォースプレートが置かれた空間が第１の空間であり、計測時にフォースプレートが置かれた空間が第２の空間である。第１の空間と第２の空間は、同じ部屋であってもよい。
【００１５】
１つの態様では、前記認識手段の第１の位置情報は、第１の空間の第１の位置に置かれたフォースプレートのカメラ画像から取得される。複数枚のカメラ画像とカメラパラメーターを用いて認識手段の座標を計算することができる。また、第１の空間のある特定の位置にフォースプレートが置かれた時の認識手段の位置情報を予め取得して記憶部に記憶しておいてもよい。例えば、フォースプレートの位置情報に対応する認識手段の位置情報をデータベース化しておき、選択されたフォースプレートの第１の位置に対応する認識手段の位置情報をデータベースから取得してもよい。
【００１６】
１つの態様では、
前記第１の空間では、３次元動作分析の座標系とフォースプレートの座標系が一致しており、
前記第２の空間では、３次元動作分析の座標系とフォースプレートの座標系が不一致であり、
前記変位情報は、第２の空間における３次元動作分析の座標系をフォースプレートの座標系に一致させることに用いられる。
【００１７】
１つの態様では、
前記第１の空間及び前記第２の空間において、３次元動作分析の座標系とフォースプレートの座標系が一致しており、
前記変位情報は、フォースプレートの前記第１の位置情報と共に、第２の空間の第２の位置に置かれたフォースプレートの第２の位置情報の取得に用いられる。
１つの態様では、フォースプレートの第１の位置情報は、フォースプレートが基準位置（図５参照）に対する回転角・平行移動量（平行移動量＝０、回転角＝０の場合を含む）によって規定される。
【００１８】
本発明が採用した第２の技術手段は、フォースプレートを備えた３次元動作分析システムのセッティングにおいて、３次元動作分析の座標系をフォースプレートの座標系に一致させる装置及び方法である。
３次元動作分析の座標系をフォースプレートの座標系に一致させる装置は、
カメラ間距離及び各カメラの方向が決定された複数のカメラと、
フォースプレートに設けられ、当該フォースプレートの位置を特定可能な認識手段と、
３次元動作分析の座標系が第１の空間に設置したフォースプレートの座標系に一致するように校正を行うことで取得した第１のカメラパラメーターを記憶する手段と、
３次元動作分析の座標系とフォースプレートの座標系が一致している校正後の第１の空間において、前記第１の空間に設置したフォースプレートの第１の複数のカメラ画像と前記第１のカメラパラメーターを用いて取得された当該フォースプレートの認識手段の座標を第１座標値として記憶する手段と、
３次元動作分析の座標系とフォースプレートの座標系が不一致である第２の空間に設置したフォースプレートの第２の複数のカメラ画像と前記第１のカメラパラメーターを用いて、第２の空間における当該フォースプレートの認識手段の座標を第２座標値として取得する手段と、
前記認識手段の第１座標値と第２座標値との変位情報を用いて、第２の空間において、３次元動作分析の座標系をフォースプレートの座標系に一致させる手段と、
からなる。
【００１９】
３次元動作分析の座標系をフォースプレートの座標系に一致させる方法は、
３次元動作分析の座標系が第１の空間に設置したフォースプレートの座標系に一致するように校正を行うことで第１のカメラパラメーターを取得して記憶し、
３次元動作分析の座標系とフォースプレートの座標系が一致している校正後の第１の空間において、前記第１の空間に設置したフォースプレートの第１の複数のカメラ画像と前記第１のカメラパラメーターを用いて当該フォースプレートの認識手段の座標を第１座標値として取得して記憶し、
３次元動作分析の座標系とフォースプレートの座標系が不一致である第２の空間に設置したフォースプレートの第２の複数のカメラ画像と前記第１のカメラパラメーターを用いて、第２の空間における当該フォースプレートの認識手段の座標を第２座標値として取得し、
前記認識手段の第１座標値と第２座標値との変位情報を用いて、第２の空間において、３次元動作分析の座標系をフォースプレートの座標系に一致させる、
ものである。
【００２０】
１つの態様では、３次元動作分析の座標系をフォースプレートの座標系に一致させる手段は、
前記第２の複数のカメラ画像と第２のカメラパラメーターを用いて計算したフォースプレートの認識手段の座標値が、前記第１座標値と一致するように、前記第１のカメラパラメーターを第２のカメラパラメーターに変換するものである。
【００２１】
１つの態様では、前記第２空間において、複数枚のフォースプレートが設置され、
１枚目のフォースプレートに基づいて前記第２のカメラパラメーターが取得され、
２枚目以降の各フォースプレートがフォースプレート座標系の第１の位置にある時に、当該２枚目以降の各フォースプレートの位置情報が第１の位置情報として、当該２枚目以降の各フォースプレートの認識手段の座標が第１座標値として記憶されており、
２枚目以降の各フォースプレートの認識手段の座標を前記第２のカメラパラメーターを用いて第２座標値として取得し、
２枚目以降の各フォースプレートの認識手段の前記第１座標値から前記第２座標値への変位情報と前記第１の位置情報に基づいて、第２座標系における２枚目以降の各フォースプレートの位置情報を取得する。
【００２２】
１つの態様では、前記複数のカメラは、個別に方向調整可能に装着された複数のカメラと、方向調整可能に装着された一つ又は複数の可視光線出射部と、からなるカメラユニットから構成されており、
前記フォースプレートには、前記一つ又は複数の可視光線出射部から出射された可視光線のターゲットが設けてあり、
前記第１の空間での校正に先立って、フォースプレートを含む空間を撮影するように各カメラの方向を調整して決定した状態で、一つ又は複数の可視光線出射部から出射された可視光線が前記フォースプレートのターゲットに当たるように、当該可視光線出射部の方向を決定し、
前記第２の空間でのフォースプレートの撮影に先立って、フォースプレートのターゲットに一つ又は複数の可視光線出射部から出射された可視光線が当たるように、前記カメラユニットを位置決めする。
本発明に係るカメラの方向調整を行う方法及によれば、カメラ画像が表示されるモニターを見ないで適切なカメラの位置を決定することができる。
なお、本発明における複数台のカメラは、このようなカメラユニットに限定されるものではなく、空間（例えば、天井）に固定された複数台のカメラでもよい。
【００２３】
本発明が採用した第３の技術手段は、フォースプレートを備えた３次元動作分析システムのセッティングにおいて、フォースプレートの位置情報を自動設定する装置及び方法である。
フォースプレートの位置情報を自動設定する装置は、
カメラ間距離及び各カメラの方向が決定された複数のカメラと、
フォースプレートに設けられ、当該フォースプレートの位置を特定可能な認識手段と、
３次元動作分析の座標系とフォースプレートの座標系が一致している第１の空間において、前記フォースプレートがフォースプレート座標系の第１の位置にある時に、当該フォースプレートの位置情報を第１の位置情報として、当該フォースプレートの認識手段の座標を第１座標値として記憶する手段と、
３次元動作分析の座標系とフォースプレートの座標系が一致している第２の空間において、第２の空間に置かれた前記フォースプレートの認識手段の座標を第２座標値として取得する手段と、
前記フォースプレートの認識手段の前記第１座標値から前記第２座標値への変位情報と前記第１の位置情報に基づいて、前記第２の空間における前記フォースプレートの第２の位置情報を取得する手段と、
からなる。
【００２４】
フォースプレートの位置情報を自動設定する方法は、
３次元動作分析の座標系とフォースプレートの座標系が一致している第１の空間において、前記フォースプレートがフォースプレート座標系の第１の位置にある時に、当該フォースプレートの位置情報が第１の位置情報として、当該フォースプレートの認識手段の座標が第１座標値として記憶されており、
３次元動作分析の座標系とフォースプレートの座標系が一致している第２の空間において、第２の空間に置かれた前記フォースプレートの認識手段の座標を第２座標値として取得し、
前記フォースプレートの認識手段の前記第１座標値から前記第２座標値への変位情報と前記第１の位置情報に基づいて、第２の空間におけるフォースプレートの第２の位置情報を取得することで、第２の空間におけるフォースプレートの位置情報を自動設定する、
ものである。
【００２５】
上記技術手段において、以下の態様を採用することができる。
１つの態様では、前記フォースプレートにはプレートカバーが着脱可能に被着され、前記認識手段は、前記プレートカバーに設けてある。
１つの態様では、前記認識手段は、フォースプレートに直接設けてある。
１つの態様では、前記認識手段は、マーカー間距離が互いに異なる３つのマーカーである。
１つの態様では、複数枚のフォースプレートの各フォースプレートに設けた認識手段は、互いに識別可能である。
２枚のフォースプレート及びプレートカバーを用いる場合を例にすると、
第１フォースプレートには第１プレートカバーが着脱可能に被着され、前記第１プレートカバー上に第１認識手段が設けてあり、
第２フォースプレートには第２プレートカバーが着脱可能に被着され、前記第２プレートカバー上に第２認識手段が設けてあり、
前記第１認識手段と前記第２認識手段は、互いに識別可能である。
より具体的な態様では、
前記第１識別手段は、マーカー間距離が互いに異なる３つのマーカーであり、
前記第２識別手段は、マーカー間距離が互いに異なる３つのマーカーであり、
前記第１識別手段の３つのマーカーを結ぶ３つの線分と、前記第２の識別手段の３つのマーカーを結ぶ３つの線分と、は、少なくとも１辺において長さが異なる。
【発明の効果】
【００２６】
本発明の第１の技術手段では、フォースプレートの変位情報を用いることで、フォースプレートを備えた３次元動作分析システムのセッティング（３次元動作分析とフォースプレートの座標系の一致やフォースプレートの位置情報の自動設定）をより簡単に行うことができる。
【００２７】
本発明の第２の技術手段によれば、既に取得しているカメラパラメーターを計算により変換することで計測時の３次元動作分析とフォースプレートの座標系の位置合わせを行うことができ、計測時の座標系の位置合わせの際に、再度キャリブレーションを行ってカメラパラメーターを作成し直す必要がない。したがって、従来、計測時に都度行っていた校正作業を行う必要が無い。また、計測時（第２の空間にフォースプレートを置いた時）の処理（第２座標値の取得、変位情報の取得、カメラパラメーターの変換）を１つの入力（クリック）でコンピュータに実行させることで、校正作業を簡単に行うことができる。
【００２８】
本発明の第３の技術手段によれば、計算によってフォースプレートの位置を設定することができ、実際に置かれたフォースプレート位置や角度の実測、設定ファイルの手動変更を行う必要がない。本発明によれば、設定ファイルで設定した位置に合わせてフォースプレートを置かなくても、実際に置かれたフォースプレートの位置情報に基づいて設定ファイルの情報を自動的に調整することができる。
【図面の簡単な説明】
【００２９】
【図１】フォースプレートを備えた３次元動作分析システムの概略図である。
【図２】本実施形態に係るカメラユニットの正面図である。
【図３】本実施形態に係るカメラユニットのレーザーポインタを示す図である。
【図４】フォースプレート座標系と３次元動作分析座標系が一致するように校正器をおいた状態のカメラ画像である。
【図５】本実施形態に係るフォースプレート座標系におけるフォースプレートの基準位置を示す図である。基準位置において、フォースプレート座標系の原点にフォースプレートの中心が位置し、フォースプレートの二等辺三角形の底辺の中点と反対側の頂点がX軸上に位置している。
【図６】フォースプレート座標系を示す図である。
【図７】フォースプレート座標系を示す図である。フォースプレートの左右をずらして置く場合のパターンを示す。
【図８】フォースプレート座標系を示す図である。フォースプレートの左右をずらして置く場合のパターンを示す。
【図９】本実施形態に係るプレートカバーを示す図であり、上図はプレートカバー、下図はプレートカバーを被着したフォースプレートを示す。
【図１０】本実施形態に係るプレートカバーをそれぞれ被着してなる２枚のフォースプレートを示す。
【図１１】本実施形態に係るカメラユニット及びプレートカバーを被着したフォースプレートの概略図である。
【図１２】本実施形態に係るカメラユニットのレーザーポインタから出射されたレーザー光線がプレートカバー上のターゲットに当たった状態を示す図である。
【図１３】他の実施形態に係るカメラユニット及びプレートカバーを被着したフォースプレートの概略図である。カメラユニットにおいて、１つのカメラに対応して１つのレーザーポインタが設けてある。
【図１４】他の実施形態に係るカメラユニットのレーザーポインタから出射されたレーザー光線がプレートカバー上のターゲットに当たった状態を示す図である。３つのレーザーポインタから３本のレーザー光線が出射されている。
【図１５】計測時における、３次元動作分析の座標系と、２枚のフォースプレートの３つのマーカーセットの位置が表示されている。図１５における三角形の線は、３次元動作分析の座標系の原点及び座標軸と、フォースプレートの座標系の原点及び座標軸と、が一致している時のフォースプレートのデフォルト位置を示しており、実際に置かれたフォースプレートを示すものではない。図中の左図に示す実際に置かれたフォースプレートは、それぞれ３つのマーカーによって規定される。
【図１５Ａ】図１５の右図を拡大したものであって、図１５Ａにおける原点及びＸＹＺ軸と、右側のフォースプレートの３点のマーカー位置と、を比較すれば明らかなように、この状態では、３次元動作分析の座標系とフォースプレートの座標系は一致していない。
【図１６】図１５の状態から、３次元動作分析の座標系とフォースプレートの座標系を一致させた状態を示す。また、左側のフォースプレートの位置調整も行われている。
【図１６Ａ】図１６の右図を拡大したものであって、図１６Ａにおける原点及びＸＹＺ軸と、右側のフォースプレートの３点のマーカー位置と、を比較すれば明らかなように、この状態では、３次元動作分析の座標系とフォースプレートの座標系が一致している。
【図１７】フォースプレート上のマーカー座標の変位情報を用いた座標系の変換、設定ファイルの自動設定を説明するブロック図である。
【図１８】カメラの方向をモニターを見ないで合わせる手順を示すフローチャートである。
【図１９】フォースプレートの座標系と３次元動作分析の座標系を合わせる手順を示すフローチャートである。
【図２０】フォースプレート位置を規定する設定ファイルの自動調整をおこなう手順を示すフローチャートである。
【発明を実施するための形態】
【００３０】
［Ａ］フォースプレートを備えた３次元動作分析システムの構成
［Ａ−１］モーションキャプチャシステム
フォースプレートを備えた３次元動作分析システムの概略図を図１に示す。フォースプレートを備えた３次元動作分析システムにおいて、被験者の３次元動作は、光学式モーションキャプチャシステムにより取得することができる。光学式モーションキャプチャシステムは、一般に、被験者の複数の所定部位に装着した複数の光学式マーカー（例えば、赤外線反射マーカー）と、光学式マーカーを装着した被験者の運動を複数角度から同時に撮影する複数台のカメラと、各カメラで取得したマーカーの画像情報中のマーカーの二次元位置を再構成して当該マーカーの三次元位置を計算し、光学式マーカーの三次元位置と身体の三次元モデルから身体の各部位の三次元位置（被験者の姿勢）を取得する処理部と、処理部の結果（被験者の姿勢の時系列データとして取得される運動データ）を表示する表示部と、からなる。複数のカメラを用いて３次元位置座標を計算する手法としては、ＤＬＴ法が当業者によく知られている。
【００３１】
［Ａ−２］カメラユニット
本実施形態において、モーションキャプチャシステムで用いる複数台のカメラは、カメラユニットによって提供される。カメラユニットは、カメラ間の関係（カメラ間距離・カメラの方向）が固定された２台以上の動作分析用カメラと、カメラとの関係（距離・方向）が固定されたレーザーポインタと、からなる装置である。
【００３２】
図２に示すように、カメラユニットは、支柱１と、支柱１の下方部位に設けた脚部２と、支柱１に高さ方向に位置調整可能かつ角度が可変に設けられたプレート状のカメラ支持部３と、を備えている。カメラ支持部３には、３台のカメラ４が二等辺三角形（図示の態様では正三角形）の頂点に位置するように互いに離間して配置されている。各カメラ４間の距離は固定されている（カメラ間距離を可変としてもよい）。各カメラ４は角度・向きがカメラ毎に独立して可変となっている。図３に示すように、支柱１には、レーザーポインタ５が角度可変かつ固定可能なように設けてある。レーザーポインタ５の角度を適宜調整した上で、調整後の角度を固定することができる。レーザーポインタ５はカメラ支持部３に設けてもよい。各カメラ４は電源に電気的に接続されていると共に、コンピュータ（データ処理装置）に画像データを出力するようにコンピュータと電気的に接続されている。電気的な配線や部品はカメラ支持部３の中央部位に収納されている。脚部２にはローラ２０が回転自在に装着されており、カメラユニットは、各カメラ４間の関係を一定に保持した状態で、一体として床面上を移動可能となっている。３台のカメラの位置関係は二等辺三角形に限定されるものではなく、カメラの台数も複数台であればよく、３台に限定されない。
【００３３】
［Ａ−３］フォースプレート
本実施形態に係るフォースプレート６は、平面視二等辺三角形状の形状を備えた可搬式のフォースプレートである。フォースプレート６は、平面視二等辺三角形状の踏み台と、踏み台の３つの頂点の下方に位置して配置された３つのロードセル（荷重検知センサ）と、を備えている。ロードセルは３分力センサで、Ｘ軸方向、Ｙ軸方向、Ｚ軸方向の荷重出力を検出する。フォースプレートのローカル座標において、各ロードセルの位置（ＸＹ座標）は既知である。３つの荷重センサで取得された値から荷重の作用中心点（ＣＯＰ：Center  of  Pressure）が取得される。ＣＯＰの座標は、踏み台（床面）の面方向のＸＹ平面として、ＸＹ座標で取得される。１つの態様では、３次元動作分析システムは、被験者の一方の足が載る第１のフォースプレートと、他方の足が載る第２のフォースプレートと、を備えている。また、このような左右の足に対応するフォースプレート対を一定の方向に連続的に複数敷設することで、歩行時の床反力を取得することができる。各ロードセルで取得される荷重情報（ｚ、ｙ、ｚ方向）は、逐次コンピュータに送信され、コンピュータの演算手段でＣＯＰを逐次（０.０１秒、０．００１秒等の単位時間毎）求めることで、ＣＯＰ（ＸＹ座標値）の時系列データを取得することができる。フォースプレートの形状や荷重センサの個数は限定されず、例えば、略四角形状の踏み板と、踏み板の四隅部に配置した４つのロードセルと、からなるフォースプレートを用いてもよい。
【００３４】
フォースプレートの位置を示すフォースプレート座標系を図６〜図８に例示する。フォースプレートの座標系及び当該座標上のフォースプレートの位置は、コンピュータの表示装置上に表示することができる。図６では、２枚のフォースプレートが示してあり、各二等辺三角形状のフォースプレートの底辺がＸ軸上にあり、頂角の２等分線がＹ軸上にある。１つの態様では、この状態が２枚のフォースプレートの置き方のデフォルト位置であり、被験者の一方の足が一方のフォースプレートに載り、他方の足が他方のフォースプレートに載る。フォースプレートの位置は、コンピュータ上の設定ファイルによって規定される。より具体的には、各フォースプレートの位置は、フォースプレートの基準位置に対する回転角度および平行移動量によって規定される。１つの態様では、フォースプレートの基準位置は図５に示すように、フォースプレート座標系の原点にフォースプレートの中心が位置し、フォースプレートの二等辺三角形の底辺の中点と反対側の頂点がX軸上に位置している。図６〜図８において、Ox〜Ozが各軸方向への平行移動、Rotが原点周りの回転角を与えている。図７、図８では、左右のフォースプレートをＸ軸方向に互いにずらして置く場合のパターンを示している。図６〜図８に示す設定ファイルでは、８枚のフォースプレートの設定が可能であるが、本発明に用いられるフォースプレートの枚数は限定されず、任意の数のフォースプレートを設定することができる。
【００３５】
［Ａ−４］プレートカバー
プレートカバー７は、フォースプレート６の上面に被せるカバーであり、図９に示すように、フォースプレート６の平面形状に合わせて二等辺半角形の平面形状を備えている。プレートカバー７の上面には、３つのマーカー８ａ、８ｂ、８ｃが互いに離間して取り付けられている。３つのマーカー８ａ、８ｂ、８ｃを結ぶ三角形の辺は互いに異なる長さとなっており、すなわち、３つのマーカー間距離は互いに異なる。３つのマーカー間距離のセットは、データ処理装置の記憶部に記憶されている。３つのマーカー間距離を異ならしめることで、３つのマーカーによって形成される三角形の姿勢（すなわち、フォースプレートの姿勢）を特定することができる。マーカー８ａ、８ｂ、８ｃは、カメラ画像から検出することができる光学式マーカーであり、例えば赤外線反射マーカーである。
【００３６】
プレートカバー７の上面の中央部位には取手７０が設けてあり、各周縁には、位置決め片７１が設けてある。フォースプレート６に対するプレートカバー７の装着方向は決まっており、１つの態様では、取手７０の長さ方向を頂角の２等分線に合わせるように装着される。取手７０を掴んで位置決め片７１がフォースプレート６の周縁に当接するようにフォースプレート６の上面にプレートカバー７を被せることで、プレートカバー７は、フォースプレート６に対して常に同じ位置で装着される。したがって、プレートカバー７をフォースプレート６に装着することで、フォースプレート６上の同じ位置に常にマーカー８ａ、８ｂ、８ｃを位置させることができる。プレートカバー７の上面に形成された４つの円形開口７２は、フォースプレート６に被着されたプレートカバー７の取り外しを容易に行うための空気の抜け穴である。なお、プレートカバーの形状は、プレートカバーをフォースプレートに被着した時に、フォースプレート上の同じ位置に常にマーカーを位置させることができるものであれば、必ずしもフォースプレートの形状と同じ形状である必要はない。
【００３７】
取手７０には、レーザーポインタ５から出射されたレーザー光線のターゲットを設けることができる。取手７０には、レーザーポインタ５から出射されたレーザー光線のターゲットを設けることができる。ターゲットは、操作者によって視認可能である必要がある。１つの態様では、ターゲットは直径１ｃｍ程度の円形であり、操作者によって視認可能な色を備えている。ターゲットを設ける部位は、取手９に限定されず、プレートカバー上面やフォースプレートの上面に直接設けてもよい。
【００３８】
図１０に、２個のフォースプレートのそれぞれの上面に被着した２個のプレートカバーを示す。２個のプレートカバーは同寸・同形であるが、第１のプレートカバー上の３つのマーカー８ａ、８ｂ、８ｃの位置と、第２のプレートカバー上の３つのマーカー８ａ´、８ｂ´、８ｃ´の位置と、は異なる。すなわち、３つのマーカー８ａ、８ｂ、８ｃを結ぶ線で形成される三角形と、３つのマーカー８ａ´、８ｂ´、８ｃ´を結ぶ線で形成される三角形と、は異なる形状であり、互いに識別可能である。複数のプレート及びプレートカバーを設置する場合に、プレートカバー毎にマーカー間距離を変えることで、カメラユニットの各カメラによって取得されたカメラ画像において、各プレートカバー（フォースプレート）を識別できるようになっている。より具体的には、複数のプレートカバー間のマーカー間距離において、３つのマーカーを結ぶ三辺の少なくとも一辺の長さをプレートカバー間で異ならしめることで、各プレートカバー（フォースプレート）を識別する。各プレートカバーに設けた３つのマーカー間距離のセットは、データ処理装置の記憶部に記憶されている。
【００３９】
上述の実施形態では、フォースプレートの位置が特定可能な認識手段を備えたプレートカバーを用いているが、プレートカバーの機能を上面に組み込んだフォースプレートを用いてもよい。具体的には、フォースプレートの上面にマーカー（例えば、マーカーとしてＬＥＤを上面と面一に組み込む）を設けてもよく、あるいは、プレート上に描いた図形（番号等）によって認識手段を形成し、パターン認識を用いて認識してもよい。フォースプレートの上面に直接レーザーポインタのターゲットを設けてもよい。複数枚のフォースプレートを同時に用いる場合には、各フォースプレートに設けた認識手段を、互いに識別可能（カメラ画像の画像処理によって）とすればよいことが当業者に理解される。また、マーカー等の認識手段は、典型的にはフォースプレートあるいはプレートカバーの上面に設けられるが、認識手段を設ける部位は必ずしも上面である必要はなく、カメラ画像によって認識手段を検出できるものであれば、認識手段を設ける部位は限定されず、フォースプレートあるいはプレートカバーの側面、フォースプレートの底面（透明の台の上にフォースプレートを置き、下方から撮影する）でもよい。
【００４０】
［付記］
上面にフォースプレートの位置を特定可能な認識手段を備えたフォースプレート。
上面に可視光線のターゲットを備えたフォースプレート。
フォースプレートに着脱可能に被着されるプレートカバーであって、当該プレートカバーにはフォースプレートの位置を特定可能な認識手段が設けてある、プレートカバー。
１つの態様では、プレートカバーには可視光線のターゲットが設けてある。
１つの態様では、前記認識手段は、マーカー間距離が互いに異なる３つのマーカーである。
【００４１】
［Ａ−６］データ処理装置
モーションキャプチャシステム及びフォースプレートにおける各種計算はコンピュータから構成されるデータ処理装置によって実行され得る。具体的には、カメラによって取得された画像情報を取り込む画像入力部、取り込まれた画像情報および画像処理部で計算された情報を記憶する記憶部、該画像情報や測定結果、分析結果を表示する表示部、該画像情報に対して画像処理を施すための画像処理部、マーカーの三次元位置の時系列データを計算する演算部を備えている。計測された各種データを用いてデータ処理を行う処理部や入力されたカメラ画像や処理結果を表示する表示部は、汎用コンピュータ（データを入力するための入力装置、処理されたデータを出力するための出力装置、データを表示する表示装置、主としてＣＰＵから構成される演算装置、ＲＯＭ、ＲＡＭ、ハードディスク等の記憶装置、これらを接続するバス、コンピュータに所定の処理を実行させるために記憶装置に格納された所定のプログラム、等を備えている）から実現することができる。同様に、フォースプレートのロードセルは、増幅器を介してデータ処理装置と電気的に接続されており、ロードセルにより測定された被験者の荷重情報を増幅器で増幅してデータ処理装置に出力され、演算手段でＣＯＰを逐次求めることで、ＣＯＰの時系列データを取得することができる。
【００４２】
［Ｂ］３次元動作分析装置とフォースプレートの座標系を簡便に一致させる手法
［Ｂ−１］概要
１つの実施形態では、３次元動作分析システムは、３次元動作計測装置と、可搬式の複数枚のフォースプレートと、各フォースプレートに対応するプレートカバーと、を備えている。３次元動作計測装置は、個別に方向調整可能に装着された３つのカメラと、方向調整可能に装着された可視光線出射部（レーザーポインター）と、からなるカメラユニットを備えている。フォースプレートの上面（以下の説明における態様では、プレートカバー上面）には、３つのマーカー（赤外線反射マーカー）、および、レーザーポインタから出射された赤色レーザー光線のターゲットが設けてある。１つのプレートカバーにおいて、３つのマーカー間距離は異ならしめてある。また、プレートカバー間において、少なくとも１つのマーカー間距離（マーカーを結ぶ１辺の長さ）を異ならしめてある。
【００４３】
これらの装置を用いて、以下の手順で３次元動作計測装置とフォースプレートの座標系を一致させる。
（１）３次元動作分析システムを計測現場に設置する前に、所望の空間の画像を取得できるように、カメラユニットの各カメラの方向及びレーザーポインタの方向を決定する。また、カメラパラメーターを取得すると共に、第１のフォースプレートのプレートカバー上の３つのマーカー座標を取得し、これらを記憶する。
（２）計測現場において、レーザーポインタを使用して、カメラの方向調整を、モニターを見ないで行う。
（３）計測現場において、第１のフォースプレートのプレートカバー上のマーカー座標を利用して、計算によってカメラパラメーターを変換することでフォースプレートの座標系と３次元動作計測装置の座標系を合わせる。座標系の位置合わせの際にカメラの校正パラメーターを作成し直す必要がない。
（４）計測現場において、第２のフォースプレート以降の位置と回転を、第２のフォースプレート以降にそれぞれ被着したプレートカバー上のマーカーの座標を使用して、第２のフォースプレート以降のフォースプレート位置の自動調整をおこなう。第２のフォースプレート以降のフォースプレートの移動距離や回転角度の実測、設定ファイルの手動変更を行う必要がない。
【００４４】
［Ｂ−２］カメラの方向をモニターを見ないで合わせる方法および装置
本実施形態では、カメラ間の関係（カメラ間距離・カメラの方向）を固定した２台以上の動作分析用カメラ４とカメラとの関係（距離・方向）を固定したレーザーポインタ５からなる装置と、フォースプレート６もしくはプレートカバー７の上面に設けたレーザーポインタ用のターゲット９と、を用いて動作分析用カメラの方向をモニターを見ないで調整する。図１１、図１２では、フォースプレート６の上面に被着したプレートカバー７の上面にターゲット９が設けてある。カメラの方向をモニターを見ないで合わせる手順を図１８に示す。
【００４５】
（１）製造時に（例えば、システムを計測現場に搬入する前段階で）、３次元動作分析に必要な空間のデータ取得ができるように各カメラ４の方向とフォースプレート６の位置を調整した後、プレートカバー（フォースプレート）上のターゲット９に可視レーザー（典型的には赤色レーザー）光線が当たるようにレーザーポインタ５の方向を調整する。より具体的には、空間（例えば、製造者側の実験空間）の床面にフォースプレート６を配置すると共に、フォースプレート６を含む所望空間をカメラユニットの各カメラ４で撮影してモニターに表示する。モニターを見ながら各カメラ４の方向を調整する。各カメラ４の方向が決定した状態で、フォースプレート上のターゲット（図示の態様では、プレートカバー７上のターゲット９）にレーザー光線が当たるようにレーザーポインタ５の方向を調整する。このようにして、カメラユニットにおいて、各カメラ４の方向及びレーザーポインタ５の方向を決定して固定する。
【００４６】
（２）計測時（システムを計測現場に搬入した時）に、レーザーポインタ５から出射されたレーザー光線がターゲット９に当たるようにカメラユニットの位置を調整する。より具体的には、計測空間の床面の所定部位にフォースプレート６を配置すると共に、プレートカバー７を被着し、プレートカバー７上のターゲット９にレーザーポインタ５からのレーザー光線が当たるように、カメラユニットを位置決めする。
【００４７】
操作者は、レーザー光線及びフォースプレート（プレートカバー７）上のターゲット９を見ながら、カメラユニットを移動させればよいので、カメラユニットのカメラにより取得されたモニター画面を見る必要がない。したがって、複数のカメラの方向をモニターに表示された画像を見ることなく合わせることが可能になる。
【００４８】
図１１、図１２に示す態様では、カメラユニットに対して１つのレーザーポインタ５を設けたが、複数のレーザーポインタ５を用いてもよい。例えば、図１３、図１４に示すように、各カメラ４に対応して別個にレーザーポインタ５を設け、カメラ１台毎にレーザーポインタ５を用いてカメラの方向を調整するようにしてもよい。図１３、図１４では、カメラ１台に１つのレーザーポインタ５を対応させたが、カメラ２台に１つのレーザーポインタ５を対応させ、残りのカメラ１台に他の１つのレーザーポインタ５を対応させてもよい。図１３、図１４では、３つのレーザーポインタ５のターゲット９として１つの共通のターゲットを示したが、レーザーポインタ毎に異なるターゲットを用いてもよい。
【００４９】
カメラの方向をモニターを見ないで合わせる方法および装置は、フォースプレートを備えた３次元動作分析システムとは独立した技術思想として捉えることができ、ある対象物を複数のカメラで撮影する場合におけるカメラの位置のセッティングに適用することができる。
［付記］
個別に方向調整可能に装着された複数のカメラと、方向調整可能に装着された１つあるいは複数の可視光線出射部と、からなるカメラユニットを備え、
対象物には、可視光線出射部から出射された可視光線のターゲットが設けてあり、
前記第１の空間において、対象物を含む空間を撮影するように各カメラの方向を調整して決定した状態で、可視光線出射部から出射された可視光線が前記対象物上のターゲットに当たるように、当該可視光線出射部の方向を決定し、
前記第２の空間において、対象物上のターゲットに可視光線出射部から出射された可視光線が当たるように、前記カメラユニットを位置決めする、カメラユニットの位置決め方法ないしシステム。
１つの態様では、前記対象物はフォースプレートである。
１つの態様では、前記ターゲットは、フォースプレートの上面に直接設けてある。
１つの態様では、前記ターゲットは、フォースプレートに着脱可能に被着されるカバー部材に設けてある。
１つの態様では、カメラユニットは１つの可視光線出射部を備えている。
１つの態様では、カメラユニットは複数の可視光出射部を備えている。より具体的な態様では、１台のカメラ毎に１つの可視光出射部が設けてあり、１台のカメラ毎に、対応する可視光線出射部の方向を決定する。
１つの態様では、可視光出射部はレーザーポインタである。
１つの態様では、対象物には１つのターゲットが設けてある。
１つの態様では、対象物には複数のターゲットが設けてある。
１つの態様では、ターゲットは、対象物に着脱可能に設けられる。
１つの態様では、ターゲットは、対象物に着脱可能に設けられるカバー部材に設けられる。
【００５０】
［Ｂ−３］３次元動作計測装置の座標系とプレートの座標系の合せ込み
本実施形態では、カメラ間の関係（カメラ間距離・カメラの方向）を固定した２台以上の動作分析用カメラと、マーカーが３つ取り付けられており（マーカー間距離は等しくないものとする）、フォースプレート上の同じ位置にマーカーを置くことができるプレートカバーと、を用いて、３次元動作計測装置の座標系とフォースプレートの座標系の合せ込みを行う。複数枚のフォースプレートを設置する場合に、ここで合わせ込むのは３次元動作計測装置の座標系と１枚目のフォースプレートの座標系であり、２枚目以降のフォースプレートの位置の調整は「プレート間の位置関係の自動調整」部分で計算される点に留意されたい。フォースプレートの座標系と３次元動作分析の座標系を合わせる手順を図１９に示す。なお、３次元動作分析の座標系とフォースプレートの座標系が一致している場合には、座標系を合わせ込作業は不要である。
【００５１】
（１）製造時にカメラ間の関係を固定した状態でカメラパラメーターを作成しておく。具体的には、カメラ間の関係（カメラ間距離・カメラの方向）が固定された２台以上のカメラとフォースプレート位置との位置関係が決定された状態で、当該フォースプレートの座標系に合わせてキャリブレーションツールを設置し、複数台のカメラでキャリブレーションツールを撮影して、カメラパラメーター（ＤＬＴ係数）を作成する。
【００５２】
この時、キャリブレーションツールの設置の基準となったフォースプレートに被着されたプレートカバー上の３つのマーカー座標を記憶部に記録しておく。すなわち、製造時に校正を行った時（３次元動作計測システムの座標系の原点及び座標軸と、フォースプレートの座標系の原点及び座標軸と、が一致している）のフォースプレートに被着したプレートカバー上の３つのマーカーの座標値を記憶する。プレートカバー上の３つのマーカーの座標値は、校正時の複数のカメラ画像中のマーカー位置及びカメラパラメーターに基づいて計算することができる。
【００５３】
（２）計測時にはカメラ間の関係が固定されているため、製造時のカメラパラメーターで三次元計算が可能である。計測時には、このカメラパラメーターを使用して、複数台のカメラで取得した画像から３次元座標を計算することができる。
【００５４】
（３）計測時において、製造時に校正によって得られた３次元動作計測装置の座標系におけるフォースプレートの位置は、製造時（校正時）における位置から変わっている。計測時において、プレートカバーが被着されたフォースプレートを複数台のカメラで撮影し、取得されたカメラ画像において、記憶部に保存されたマーカー間距離と等しくなるマーカーを検索し、プレートカバー上の３点のマーカーを探索して、３点のマーカーの座標値を取得する。
【００５５】
（４）プレートカバー上の３点のマーカーを使用して３次元動作計測装置の座標系とプレートの座標系を一致させる計算を行う。具体的な計算方法は後述する。
【００５６】
（５）（４）で計算によって変換されたカメラパラメーターを使用することによって３次元動作計測装置の座標系とフォースプレートの座標系を合わせ込むことが可能となる。
計測時における上記（３）、（４）の作業は、コンピュータ画面上のクリック動作によって自動化で行うことができる。具体的には、コンピュータに３次元動作計測装置の座標系とプレートの座標系を一致させる計算を実行させるためのプログラムが記憶部に格納されており、画面上の簡易校正ボタンをクリックすることで、かかるプログラムが実行される。
【００５７】
本実施形態では、ＤＬＴ法を用いた場合の計算方法を示す。ＤＬＴ法の校正では下の式のカメラごとにA11〜C13までを未知数として決定を行う。なお、(U1, V1)はカメラ画像の二次元座標値、(X,  Y,  Z)は三次元動作分析装置での三次元座標値である。
0005564065.tif 000002
本実施形態では、係数A11〜C13は、校正時に取得したカメラパラメーターである。
【００５８】
この時に、校正時に取得されて記憶部に設定されたフォースプレート上の３点（本実施形態では、３つのマーカー座標）が計測時には下のように移ったとする。
0005564065.tif 000003
係数A11〜C13をA”11〜C”13に変更することで３次元動作計測装置の座標系をプレートの座標系に合わせることができる。
0005564065.tif 000004
【００５９】
ただし、
0005564065.tif 000005
また、
0005564065.tif 000006
ここで
0005564065.tif 000007
とする。
【００６０】
p1からp2への単位ベクトルを
0005564065.tif 000008
p1からp2へのベクトルとp1からp3へのベクトルの法線ベクトルを
0005564065.tif 000009
v1とv2の法線ベクトルを
0005564065.tif 000010
とするとき、
0005564065.tif 000011
【００６１】
p1’からp2’への単位ベクトルを
0005564065.tif 000012
p1’からp2’へのベクトルとp1’からp3’へのベクトルの法線ベクトルを
0005564065.tif 000013
v1’とv2’の法線ベクトルを
0005564065.tif 000014
とするとき、
0005564065.tif 000015
【００６２】
計算原理について説明する。
社内校正時のDLTパラメーターを使用して計算された任意のマーカー座標値Xを動作分析の座標系とプレートの座標系を一致させる変換を行った後に移動した座標値をX’とする。
また、
Ｒ１：世界座標系の座標系からプレート座標系と動作分析座標系の合わせこみ後の座標系への回転行列、
Ｒ２：世界座標系の座標系から社内校正時の動作分析座標系への回転行列、
Ｃ：世界座標系の座標系の原点からプレート座標系と動作分析座標系の合わせこみ後の座標系の原点への平行移動、
Ｂ：世界座標系の座標系の原点から社内校正時の動作分析の座標系の原点への平行移動、
とすると、
座標値Xと座標値X’の関係は下のようになる。
0005564065.tif 000016
【００６３】
上記式を変形すると、
0005564065.tif 000017
となる。上記Ｘ’を（1）式の（ｘ、ｙ、ｚ）に置き換えることで、（1）式は、
0005564065.tif 000018
となる。この式を変形することで（2）式が得られる。
【００６４】
［Ｂ−４］フォースプレート間の関係の位置関係の自動調整
カメラ間の関係（カメラ間距離・カメラの方向）を固定した２台以上の動作分析用カメラと、２枚以上のフォースプレートと、３つのマーカーが設けられている２枚以上のプレートカバーと、を備えた装置を用いてフォースプレート間の関係の位置関係の自動調整を行う。各プレートカバーは、対応するフォースプレートと同じ位置にマーカーを置くことができ、１つのプレートカバーにおいて、３つのマーカー間距離は異ならしめてある。また、プレートカバー間において、少なくとも１つのマーカー間距離（マーカーを結ぶ１辺の長さ）を異ならしめることで、複数のプレートカバーが互いに識別可能となっている。各プレートカバーの３つのマーカー間距離セットは記憶部に記憶されている。フォースプレート位置を規定する設定ファイルの自動調整をおこなう手順を図２０に示す。
【００６５】
（１）フォースプレートの座標系と３次元動作計測装置の座標系は既に一致しているものとする。また、社内で校正した際のフォースプレート上のマーカー位置情報、及び、フォースプレートの位置情報は記憶部に記憶されている。各フォースプレートの位置情報は、基準位置（例えば、図３）にあるフォースプレートを原点回りに一定角度回転させた後に平行移動した時のフォースプレートの回転角、平行移動のベクトルによって規定される。例えば、第１のフォースプレート、第２のフォースプレートがある場合に、社内校正時に、設定ファイルで予め設定した位置に合わせて第１のフォースプレート、第２のフォースプレートが置かれ、各フォースプレートの設定ファイルにおいて、フォースプレートの位置を特定する回転角度及び平行移動距離が設定されており、これらの情報は記憶部に記憶されている。第１のフォースプレート上のマーカーの座標、第２のフォースプレートのマーカーの座標は、それぞれ、カメラユニットによって撮影された複数枚の画像に基づいて計算され、記憶部に記憶される。あるいは、フォースプレートの座標系と３次元動作分析の座標系が一致した状態において、予め設定した所定位置にフォースプレートが位置する時の、当該フォースプレート上のマーカー座標を取得しておき、当該マーカー座標を予め記憶部に記憶させておいてもよい。
【００６６】
（２）１枚目の第１のフォースプレートについては３次元動作計測装置の座標系とプレートの座標系の合せ込みで一致しているものとする。
【００６７】
（３）２枚目の第２のフォースプレートについて、各プレートカバーのマーカー間座標が異なることを利用して、第２のフォースプレートのプレートカバーのマーカーを同定し、第２のフォースプレートのプレートカバー上の３つのマーカーのマーカー座標値を得る。
【００６８】
（４）このマーカー座標値と設定された座標値（社内校正時に取得されたマーカー座標値）を用いて以下に述べる計算を実行することで、第２のフォースプレートの基準位置（図３参照）に対する回転角と平行移動量を計算することができる。
【００６９】
（５）３枚目以降のフォースプレート（第３のフォースプレート、第４のフォースプレート、・・・）についても、第２のフォースプレートと同様に計算し、回転角と平行移動のベクトルを計算する。より具体的な例では、４枚のフォースプレートがある場合に、各フォースプレートに対応して４枚のプレートカバーが用意される。各プレートカバーには３つのマーカーが設けてあり、かつ、各プレートカバーのマーカーは互いに識別可能となっている。床面に４枚のフォースプレートを置き、各フォースプレートにプレートカバーを被着した状態をカメラで撮影して得られたカメラ画像において、各フォースプレートに対応するマーカーを識別して同定すると共に、各マーカー座標を取得する。プレートカバー毎にマーカー座標の変位量（予め設定された参照座標値からの）から回転角、平行移動のベクトルを取得する。
【００７０】
計算方法について説明する。Xを平行移動ベクトルとすると、
0005564065.tif 000019
となる。
また、
0005564065.tif 000020
とすると、
回転角Rotは、
0005564065.tif 000021
となる。
ここで、
Ｒ１：回転角が０の状態  →  フォースプレート位置合わせ実行時の回転行列
Ｒ２：回転角が０の状態  →  社内校正時の回転行列
Ｃ：フォースプレート座標系の原点  →  社内校正時のフォースプレート位置への平行移動ベクトル
Ｂ：フォースプレート座標系の原点  →  フォースプレート位置合わせ実行時のフォースプレート位置への平行移動ベクトル
である。
このときにフォースプレートは水平に置かれていることを仮定している。
【００７１】
具体的にはソフト内に設定されたプレート上の３点のマーカー座標が計測時には下のように移ったとする。
0005564065.tif 000022
【００７２】
p1からp2への単位ベクトルを
0005564065.tif 000023
p1からp2へのベクトルとp1からp3へのベクトルの法線ベクトルを
0005564065.tif 000024
v1とv2の法線ベクトルを
0005564065.tif 000025
とするとき、
0005564065.tif 000026
【００７３】
p1’からp2’への単位ベクトルを
0005564065.tif 000027
p1’からp2’へのベクトルとp1’からp3’へのベクトルの法線ベクトルを
0005564065.tif 000028
v1’とv2’の法線ベクトルを
0005564065.tif 000029
とするとき、
0005564065.tif 000030
【００７４】
また、
Ｃ：プレート座標系の原点  →  社内校正時のプレート位置への平行移動ベクトル
Ｂ：プレート座標系の原点  →  プレート位置合わせ実行時のプレート位置への平行移動ベクトル
0005564065.tif 000031
【００７５】
［Ｂ−５］３次元動作分析システムのセッティングにおけるマーカー座標の変位情報の利用
フォースプレート上のマーカー座標の変位情報の利用態様について、図１７を参照しつつ説明する。フォースプレート座標系において、フォースプレートの位置は、設定ファイルの設定事項によって規定される。具体的には、基準位置（回転角０、平行移動量０）に対する回転角、平行移動量によってフォースプレートの位置が決定される。基準位置を図５に例示する。第１の空間において、設定ファイルで規定された位置（第１の回転角・平行移動量）に合致するようにフォースプレートを第１の位置に置くことで、第１の空間に置かれたフォースプレートの位置と設定ファイル上の位置が対応する。この状態で、３次元計測装置（動作分析）の座標系がフォースプレートの座標系と一致するように校正を行ってカメラパラメーターを取得する。フォースプレートの第１の位置の位置情報（第１の回転角・平行移動量）、取得したカメラパラメーターは記憶部に記憶される。
【００７６】
第１の位置に置かれたフォースプレートのカメラ画像と取得したカメラパラメーターを用いて、第１の位置にあるフォースプレート上のマーカーの位置情報を第１の座標値として取得し、記憶部に記憶する。第１の空間において、３次元計測装置（動作分析）の座標系はフォースプレートの座標系と一致しており、第１の座標値のＸＹ座標値は、３次元計測装置（動作分析）の座標系、フォースプレートの座標系において一致する。また、第１の空間において、フォースプレートの位置情報（第１の回転角・平行移動量）とフォースプレート上のマーカーの位置情報（第１の座標値）は対応している。
【００７７】
第２の空間において３次元計測装置（動作分析）の座標系とフォースプレートの座標系が一致している場合について説明する。第２の空間において、フォースプレートを第２の位置に置く。第２の位置に置かれたフォースプレートのカメラ画像と取得したカメラパラメーターを用いて、第２の位置にあるフォースプレート上のマーカーの位置情報を第２の座標値として取得し、記憶部に記憶する。
【００７８】
第１の空間の第１の位置での第１の座標値と第２の空間の第２の位置での第２の座標値との変位情報から、第１の位置→第２の位置への回転角、平行移動量を調整量として取得する。設定ファイルの第１の空間の第１の位置での第１の回転角・平行移動量と取得した調整量とから第２の空間の第２の位置での第２の回転角・平行移動量を計算し、設定ファイルを自動設定することができる。
【００７９】
第２の空間において３次元計測装置（動作分析）の座標系とフォースプレートの座標系が一致していない場合について説明する。第２の空間において、フォースプレートを第２の位置に置く。第２の位置に置かれたフォースプレートのカメラ画像と取得したカメラパラメーターを用いて、第２の位置にあるフォースプレート上のマーカーの位置情報を第２の座標値として取得し、記憶部に記憶する。
【００８０】
第１の空間（動作分析の座標系とフォースプレートの座標系が一致）における第１座標値と、第２の空間（動作分析の座標系とフォースプレートの座標系が不一致）における第２座標値との差は、第２の空間におけるその時点の動作分析の座標系と、第２の空間においてフォースプレートの座標系と一致した時の動作分析の座標系とのズレに対応する。したがって、第２の位置に置かれたフォースプレートのカメラ画像から計算される第２の座標値が第１の座標値と一致するように、第１の空間で取得されたカメラパラメーターを変換することで、第２の空間における動作分析の座標系をフォースプレートの座標系に一致させることができる（結果として、設定ファイルにおける第２の位置での第２回転角・平行移動量は、第１の位置での第１回転角・平行移動量と同じ位置となるように自動設定される。）。フォースプレートが複数枚ある場合に、変換されたカメラパラメーターを用いて取得した第２の座標値と第１の座標値との変位情報を用いて２枚目以降のフォースプレートの設定ファイルを自動設定することができる。
【００８１】
［Ｂ−６］全体の流れ
全体の流れについて、１つの実施形態に基づいて説明する。製造時に、１台のカメラユニット、１枚のフォースプレート、１枚のプレートカバー、キャリブレーションツール、を用意する。
【００８２】
第１のプレートカバーを被着した第１のフォースプレートを床面に設置し、カメラユニットの３台のカメラで撮影する。モニターに表示されたカメラ画像を見ながら、各カメラの方向を調整する。カメラの方向を決定した後で、カメラユニットのレーザーポインタから出射されるレーザー光線が第１のカバープレート上のターゲットに当たるように、レーザーポインタの角度を決定する。このようにして、カメラユニットにおける各カメラ及びレーザーポインタの配向を決定し固定する。
【００８３】
カメラユニットにおける各カメラ及びレーザーポインタの配向を決定した時の第１のフォースプレートの位置に合わせてキャリブレーションツールを設置し、カメラ間の関係が固定された各カメラによってキャリブレーションツールを撮影することで、キャリブレーションツール上の基準点の位置及びカメラ画像における基準点の位置からカメラパラメーター（ＤＬＴ係数）を取得して記憶部に記憶する。この時、３次元動作計測装置の座標系（第１座標系）とフォースプレートの座標系は一致している。また、プレートカバー上の３つのマーカーの座標値を取得して記憶部に記憶する。
【００８４】
計測時に、カメラ間の関係およびレーザーポインタの方向が固定されたカメラユニット、２枚のフォースプレート、２枚のプレートカバー、を計測現場に搬入する。計測空間に第１のプレートカバーを被着した第１のフォースプレートを置き、第１のプレートカバー上のターゲットにレーザーポインタから出射されるレーザー光線が当たるように、カメラユニットの位置を決定する。この時、カメラ画像を表示するモニターを見る必要がない。
【００８５】
位置が決定されたカメラユニットの各カメラによって撮影された画像から第１のプレートカバー上の３つのマーカーを探索し、３つのマーカーの座標を計算して記憶部に記憶する。
【００８６】
製造時に取得された３つのマーカー座標と計測時に取得された３つのマーカー座標を用いて、３次元動作測定装置の製造時の座標系（第１座標系）を、測定時の座標系（第２座標系）に変換する。具体的には、製造時に取得されたカメラパラメーターを、製造時におけるマーカー座標及び測定時におけるマーカー座標を用いて、変換する。座標系の位置合わせの際に、製造時に取得したカメラパラメーターを作成し直さなくて良い。
【００８７】
さらに、第２のカバープレートを被着した第２のフォースプレートを計測空間に置く。第２のフォースプレートを置くタイミングは限定されず、第１のフォースプレートと第２のフォースプレートを同時に置いてもよい。位置が決定されたカメラユニットの各カメラによって撮影された画像から第２のプレートカバー上の３つのマーカーを探索し、３つのマーカーの座標を計算して記憶部に記憶する。第１のプレートカバー上の３つのマーカーと第２のプレートカバー上の３つのマーカーとは互いに識別可能である。
【００８８】
記憶部には、フォースプレート座標系における第２のフォースプレートの参照位置情報及びその時の第２のプレートカバー上の３つのマーカーの参照座標が記憶されており、実際に置かれた３つのマーカー座標とマーカーの参照座標から第２のフォースプレートの変位情報を取得し、第２のフォースプレートの参照位置情報と前記変位情報とから第２のフォースプレートの位置情報を取得する。第２のフォースプレートの移動距離や回転角度の実測、設定ファイルの手動変更を行う必要がない。
【００８９】
本実施形態に係る３次元動作分析システム（３次元動作計測装置とフォースプレートを備える）では、上述の方法及び装置の１つ以上を採用することによって、３次元動作分析の座標系とフォースプレートの座標系の位置合わせを簡便に行うことが可能となる。
【図１】
0005564065.tif 000032
【図５】
0005564065.tif 000033
【図１１】
0005564065.tif 000034
【図１２】
0005564065.tif 000035
【図１３】
0005564065.tif 000036
【図１４】
0005564065.tif 000037
【図１７】
0005564065.tif 000038
【図１８】
0005564065.tif 000039
【図１９】
0005564065.tif 000040
【図２０】
0005564065.tif 000041
【図２】
0005564065.tif 000042
【図３】
0005564065.tif 000043
【図４】
0005564065.tif 000044
【図６】
0005564065.tif 000045
【図７】
0005564065.tif 000046
【図８】
0005564065.tif 000047
【図９】
0005564065.tif 000048
【図１０】
0005564065.tif 000049
【図１５】
0005564065.tif 000050
【図１５Ａ】
0005564065.tif 000051
【図１６】
0005564065.tif 000052
【図１６Ａ】
0005564065.tif 000053